(57)【特許請求の範囲】
【請求項１】
上着本体の前身頃及び後身頃のそれぞれに、浮力材を備えた浮力材付き釣り用上着であって、
前記前身頃の外面に、該前身頃から離間する外側に張り出すマチ部と該マチ部よりも前側に配置される前側部とを有するポケットを備え、該前側部に前記浮力材とは別の浮力材を備え、
前記後身頃に備える浮力材による浮力が、前記前身頃及び前記ポケットの前側部に備える浮力材による浮力よりも小さくなるように該後身頃に浮力材を備え、前記前側部の浮力材が、前記前身頃の下側部分に配置されていることを特徴とする浮力材付き釣り用上着。
【請求項２】
前記前身頃が左右の前身頃を備え、該左右の前身頃のそれぞれに前記ポケットを備え、該各ポケットが、各前身頃の上下中央部付近から下端部に渡り、かつ、左右幅方向略全域に渡る範囲に設けられていることを特徴とする請求項１に記載の浮力材付き釣り用上着。
【発明の詳細な説明】
【技術分野】
【０００１】
本発明は、例えばフローティングベストと称される浮力材が内装された浮力材付き釣り用上着に関し、より詳しくは、上着本体の前身頃及び後身頃のそれぞれに、浮力材を備えた浮力材付き釣り用上着に関する。
【背景技術】
【０００２】
この種のフローティングベストは、上着本体を構成する前身頃及び後身頃内に、ＰＶＣ、ＰＥ、ＥＶＡ等からなる板状の浮力材をそれぞれ備えて、落水時に身体を水面から浮かせることができるようにしている。
【０００３】
そして、前身頃の外面には、釣りに使用する錘や仕掛けあるいは釣用小物などの収納物を収納することができるポケットを備えたものが提案されている（例えば、特許文献１参照）。
【先行技術文献】
【特許文献】
【０００４】
【特許文献１】特開２００９−２０２７４８号公報（図１、図３参照）
【発明の概要】
【発明が解決しようとする課題】
【０００５】
ところで、ポケットに収納される錘や仕掛けあるいは釣用小物等の収納物の重量が２、３ｋｇになる場合がある。特に２つ以上のポケットを備えている場合には、総重量が４〜６ｋｇになる場合もあるが、そのような重量まで考慮して浮力材を設計していない。このため、ポケットに収納する重量によっては、落水時に身体を水面から浮かせることができない虞がある。因みに、ポケットに入れる錘や仕掛けあるいは釣用小物等の収納物の重量を考慮して浮力材の厚みを作製することも考えられるが、浮力材の厚みが厚くなることにより、着心地が悪くなるだけでなく、動き難くなり、採用し難いものであった。
【０００６】
本発明が前述の状況に鑑み、解決しようとするところは、ポケットに収納される収納物の重量をも考慮した浮力を得ることができながらも、着心地が悪いことや動き難いといった不都合を解消することができる浮力材付き釣り用上着を提供することにある。
【課題を解決するための手段】
【０００７】
本発明の浮力材付き釣り用上着は、前述の課題解決のために、上着本体の前身頃及び後身頃のそれぞれに、浮力材を備えた浮力材付き釣り用上着であって、前記前身頃の外面に、該前身頃から離間する外側に張り出すマチ部と該マチ部よりも前側に配置される前側部とを有するポケットを備え、該前側部に前記浮力材とは別の浮力材を備え、前記後身頃に備える浮力材による浮力が、前記前身頃及び前記ポケットの前側部に備える浮力材による浮力よりも小さくなるように該後身頃に浮力材を備え、前記前側部の浮力材が、前記前身頃の下側部分に配置されていることを特徴としている。
【０００８】
上記構成によれば、ポケットのマチ部に収納される収納物よりも前側に位置する前側部、つまり身体の前方に位置する前身頃よりも前側に離れて位置する前側部に浮力材を備えることによって、前身頃に備える浮力材の厚みを厚くして浮力を増大させる場合に比べて、浮力を効率よくアップさせることができる。また、浮力材がポケットの前側部に備えさせることによって、着用者を圧迫することがなく、動き難いことや着心地が悪くなることがない。
また、前側部の浮力材が、浮力の重心の前側でかつ前身頃よりも遠い位置にあるので、お腹付近、例えば臍付近で浮力のモーメントがかかり易い。その結果、顔側が上になるような浮力のモーメントが身体にかかり、顔が浮き易くなる。
【００１１】
また、本発明の浮力材付き釣り用上着は、前記前身頃が左右の前身頃を備え、該左右の前身頃のそれぞれに前記ポケットを備え、該各ポケットが、各前身頃の上下中央部付近から下端部に渡り、かつ、左右幅方向略全域に渡る範囲に設けられていてもよい。
【００１２】
上記のように、左右の前身頃のそれぞれにポケットを備え、各ポケットが、各前身頃の上下中央部付近から下端部に渡り、かつ、左右幅方向略全域に渡る範囲に設けられている場合には、浮力材による浮力アップをより一層図ることができ、更に安定良く顔を含む身体を浮かせることができる。
【発明の効果】
【００１３】
ポケットの前側部に浮力材を備えることによって、ポケットに収納される錘や仕掛けあるいは釣用小物等の収納物の重量をも考慮した浮力を得ることができながらも、着心地が悪いことや動き難いといった不都合を解消することができる浮力材付き釣り用上着を提供することができる。
【図面の簡単な説明】
【００１４】
【図１】本発明の浮力材付き釣り用上着を少し斜め上方から見た斜視図である。
【図２】図１で示した浮力材付き釣り用上着の左右の前身頃を横に開放して内側が見えるようにした少し下方から見た斜視図である。
【図３】浮力材の位置関係が把握できるように上着本体を展開した概略図である。
【図４】ポケットに備えた浮力材と他の浮力材との関係を水中の中で浮いている状態で示した一部を断面にした概略図である。
【発明を実施するための形態】
【００１５】
図１及び図２に、浮力材付き釣り用の上着の一例である袖なしの上着であるベストを示しているが、袖のある上着であってもよい。このベストは、例えばルアーフィッシングの釣りの際に装着されるフローティングベストとして使用しているが、その他の釣り（磯釣りや波止釣りや船釣り等）で使用してもよい。
【００１６】
ベストは、前身頃１と、この前身頃１の左右両端に連結される後身頃２とを有する上着本体を備えている。前身頃１は、左前身頃３と右前身頃４とを備え、その左前身頃３は、前方に位置するメインの左前身頃３Ａと、このメインの左前身頃３Ａの後端に連結され、メインの左前身頃３Ａよりも小さなサブの左前身頃３Ｂとを備えている。また、右前身頃４は、前方に位置するメインの右前身頃４Ａと、このメインの右前身頃４Ａの後端に連結され、メインの右前身頃４Ａよりも小さなサブの右前身頃４Ｂとを備えている。そして、４つの前身頃３Ａ，３Ｂ，４Ａ，４Ｂの内部に、浮力材５，６，７，８を備えている。これら左前身頃３及び右前身頃４の左右方向中心部側端に備えさせたベスト着脱用スライドファスナーＦを開閉操作することで身体にベストを着脱することができるようになっている。また、左前身頃３と右前身頃４とは、バックル９によって左右方向で連結することができるようになっている。バックル９は、左前身頃３に取り付けた雌部材９Ａと、この雌部材９Ａに内挿して係合されるべく右前身頃４に取り付けた雄部材９Ｂとを備えている。
【００１７】
また、メインの左前身頃３Ａの上側に第１ポケット１０を備え、下側に第１ポケット１０よりも大きく、該左前身頃３Ａから離間する外側に張り出すマチ部１１Ａとマチ部１１Ａよりも前側に配置される前側部１１Ｔとを有する第２ポケット１１を備え、図３及び図４に示すように、第２ポケット１１の前側部１１Ｔにポケット１１の上下寸法と左右幅寸法と略同一の寸法を有する矩形状で板状の浮力材１２を備えている。図１に示すように、マチ部１１Ａには、ポケット１０の開口部を開閉するためのファスナー１１Ｂを備えている。
【００１８】
また、メインの右前身頃４Ａの上側に第３ポケット１３を備え、下側に第３ポケット１３よりも大きく、該右前身頃４Ａから離間する外側に張り出すマチ部１４Ａとマチ部１４Ａよりも前側に配置される前側部１４Ｔを有する第４ポケット１４を備え、図３及び図４に示すように、第４ポケット１４の前側部１４Ｔにポケット１４の上下寸法と左右幅寸法と略同一の寸法を有する矩形状で板状の浮力材１５を備えている。図１に示すように、マチ部１４Ａには、ポケット１０の開口部を開閉するためのファスナー１４Ｂを備えている。尚、図３では、サブの左前身頃３Ｂ及びサブの右前身頃４Ｂ並びに後身頃２の左右両端の丈の小さな２つの浮力材１６，２０を省略している。
【００１９】
前記のようにマチ部１１Ａ，１４Ａと前側部１１Ｔ，１４Ｔとからポケット１１，１４を構成することによって、マチ部１１Ａ，１４Ａにより形成される収納部の収納空間１１Ｋ，１４Ｋを十分に確保できながらも、別に設けられた前側部１１Ｔ，１４Ｔに備えた浮力材１２，１５で効率よく浮力をアップさせることができる。
【００２０】
また、浮力材１２又は１５を備える各ポケット１１又は１４が、各前身頃５又は７の上下中央部付近から下端部に渡り、かつ、左右幅方向略全域に渡る範囲に設けられている。具体的には、図４に示すように、前側部の浮力材１２，１５（図では片方のみ図示している）が、浮力の重心の前側でかつ前身頃よりも遠い位置にあれば、お腹付近、例えば臍Ｈ付近で浮力のモーメントがかかり易い。その結果、顔側が上になるような浮力のモーメントが身体にかかり、図に示すように顔が浮き易くなる。従って、図３に示すように、ポケット１１，１４の収納空間１１Ｋ，１４Ｋに錘や仕掛けあるいは釣用小物等の収納物を収納して重量が増大しても、前側部１１Ｔ，１４Ｔに備えた浮力材１２，１５により効率よく浮力を増大させて確実に身体を浮かせることができるように構成している。しかも、前側部１１Ｔ，１４Ｔに浮力材１２，１５を備えさせていることから、動き難いことや着心地が悪いといったことがない。さらには、ポケット１１，１４に浮力材１２，１５を備えさせていることから、ポケット１１，１４が型崩れしないように保形性を高めることができるだけでなく、他物とのクッション材としても機能することができる。
【００２１】
後身頃２の内部には、前身頃１に備えた全ての浮力材５，６，７，８，１２，１５による浮力よりも浮力が小さく設定された５つの浮力材１６，１７，１８，１９，２０を備えている。浮力材の個数は、図に示す５つに限定されるものではない。
【００２２】
従って、図４に示すように、浮力材５を備えた前側身頃が浮力材１８を備えた後側身頃よりも上方に位置する姿勢で確実に浮くことができながらも、ポケット１１の空間１１Ｋ内に重量のある収納物が収納されている場合でも、前述のようにポケット１１，１４に備えた浮力材１２，１５（図では一方のみ図示している）により効率よく打ち消すことができるようになっている。
【００２３】
また、左前身頃３の上端と後身頃２の左側上端を連結する左側肩部２１に浮力材２３を備えるとともに、右前身頃４の上端と後身頃２の右側上端とを連結する右側肩部２２の内部に浮力材２４を備えている。
【００２４】
また、図１及び図２に示すように、前身頃１と後身頃２を身体に保持するための１本のベルト２５を備えている。具体的には、ベルト２５を前身頃１及び後身頃２の内側に保持するための５つの帯状でループ状の保持部２６，２７，２８，２９，３０を備え、それら保持部２６，２７，２８，２９，３０のうちの後身頃２の幅方向中央部の保持部２８を除いた保持部２６，２７，２９，３０がベルト２５をそれの長さ方向に移動可能で、かつ、ベルト２５の締め付け時において前身頃１及び後身頃２をベルト２５から離間可能とする融通部を備えている。
【００２５】
また、前記保持部２８は、前記保持部２７，２９と同一の構成であるが、ドット釦によりベルト２５を保持部２８に固定している。このドット釦は、ベルト側に設けられた雄型部材（図示せず）と、この雄型部材に係合するように保持部２８側に設けられた雌型部材３１とからなっているが、他の部材にて固定してもよいし、場合によっては、固定しないで他の保持部と同様に、ベルト２５を挿通可能なループに構成してもよい。
【００２６】
また、メインの右前身頃４Ａの裏面に逢着した保持部２６及びメインの左前身頃３Ａの裏面に縫着した保持部３０は、図２に示すように、各保持部の上下端部が右前身頃４Ａの内面に縫着された上下一対の補強用帯状部材３２，３３及び左前身頃３Ａの内面に縫着された上下一対の補強用帯状部材３４，３５で覆われ、その覆われた部分を縫着することにより固定されている。
【００２７】
また、残りの保持部２７，２８，２９も同様に、各保持部の上下端部が後身頃２の内面に縫着された上下一対の補強用帯状部材３６，３７で覆われ、その覆われた部分を縫着することにより固定されている。
【００２８】
図２に示すように、ベルト２５の一端には、雄部材３８Ａが備えられ、他端には、雄部材３８Ａを挿入して係合可能な雌部材３８Ｂが備えられて、係合解除自在なバックルを構成している。従って、衣服本体を身体に着てからベルト２５の雄部材３８Ａを雌部材３８Ｂに挿入することにより両者が係合してベルト２５を身体に装着することができる。また、ベルト２５の雄部材３８Ａ側近傍に、ベルト２５の長さを調節するための長さ調節具Ｇを備えており、身体の胴回りのサイズに応じてベルト２５の長さを調節することができる。また、ベルト２５の雌部材３８Ｂ側近傍にも、同じようにベルト２５の長さを調節するための長さ調節具（図示せず）を備えており、ベルト２５の両サイドでベルト２５の長さを調節することができるようになっている。
【００２９】
メインの右前身頃４Ａの裏面の生地、メインの左前身頃３Ａの裏面の生地、後身頃２の裏面の生地は、下端よりも少し上方の位置から上端までの範囲に渡る上下方向に長尺な第１生地４ａ、３ａ、２ａと、下端から少し上方の位置までの範囲に渡り、かつ、第１生地４ａ、３ａ、２ａの下部と一部重複するように該第１生地の下端４ｃ，３ｃ，２ｃよりも上方に位置する上端４ｄ，３ｄ，２ｄを有する上下方向に短尺な第２生地４ｂ、３ｂ、２ｂとを備え、第１生地４ａ、３ａ、２ａと第２生地４ｂ、３ｂ、２ｂとをそれらの重複部分に備えた複数のドット釦４２，４３，４４により連結している。従って、ドット釦４２，４３，４４の係合を解除することにより、第１生地４ａ、３ａ、２ａと第２生地４ｂ、３ｂ、２ｂとの間を開口させて浮力材７，５，１７，１８，１９をメインの右前身頃４Ａ、メインの左前身頃３Ａ、後身頃２の下側から取り出すことができるようになっている。説明はしないが、サブの左前身頃３Ｂ及びサブの右前身頃４Ｂも同様に浮力材を取り出すことができる構成になっている。
【００３０】
また、図３に示すように、ポケット１１又は１４内には、釣りに使用する錘や仕掛けあるいは釣用小物などを収納する収納空間と、浮力材１２又は１５を収納する浮力材用収納空間とを仕切るための生地を備えている。その生地は、下端から上端よりも少し下方の位置までの範囲に渡る上下方向に長尺な第１生地１１ａ又は１４ａと、上端から少し下方の位置までの範囲に渡り、かつ、第１生地１１ａ又は１４ａの上部と一部重複するように該第１生地の上端１１ｃ又は１４ｃよりも下方に位置する下端１１ｄ又は１４ｄを有する上下方向に短尺な第２生地１１ｂ又は１４ｂとを備え、第１生地１１ａ又は１４ａと第２生地１１ｂ又は１４ｂとをそれらの重複部分に備えた複数のドット釦４５又は４６により連結している。従って、ポケット１１又は１４のファスナー１１Ｂ又は１４Ｂ（図１参照）を開放操作してから、ポケット内にあるドット釦４５又は４６の係合を解除することにより、第１生地１１ａ又は１４ａと第２生地１１ｂ又は１４ｂとの間を開口させて、浮力材１２又は１５をポケット１１又は１４の上側から取り出すことができるようになっている。
【００３１】
尚、本発明は、上記実施形態に限定されるものではなく、本発明の要旨を逸脱しない範囲で種々の変更が可能である。
【００３２】
前記実施形態では、下側のポケット１１，１４にのみ浮力材１２，１５を備えさせたが、上側のポケット１０，１３にも浮力材を備えて実施してもよい。
【００３３】
また、前記実施形態では、前身頃を左右の前身頃から構成したが、頭から被って着るような１つの前身頃からなるベストであってもよい。この場合、浮力材を備えるポケットは、１個設けてもよいし、複数設けて実施してもよい。
【００３４】
また、前記実施形態では、ポケット１１，１４の上下寸法及び左右幅寸法と略同一寸法を有する浮力材１２，１５を備えさせたが、ポケット１１，１４を前身頃３，４の上下寸法と略同じ寸法を有するものから構成し、前身頃の下側部分に浮力材を備えさせるべく、２つのポケット１１，１４の下側部分にそれぞれ浮力材を備えさせてもよい。この場合、浮力材の左右幅寸法は、ポケット１１，１４の左右幅全域に渡る寸法であってもよいし、ポケット１１，１４の左右幅よりも小さな左右幅を有する浮力材であってもよい。尚、浮力材の寸法は、ポケット１１，１４の収納空間の大きさに応じて適宜変更することが好ましい。
【符号の説明】
【００３５】
１…前身頃、２…後身頃、３…左前身頃、３Ａ…メインの左前身頃、３Ｂ…サブの左前身頃、４…右前身頃、４Ａ…メインの右前身頃、４Ｂ…サブの右前身頃、４ａ，４ｂ…生地、５，６，７，８，１２，１５，１６，１７，１８，１９，２０…浮力材、９…バックル、９Ａ…雌部材、９Ｂ…雄部材、１０，１１，１３，１４…ポケット、１１Ｋ，１４Ｋ…収納空間、１４Ａ…マチ、１４Ｂ…ファスナー、２１，２２…肩部、２３，２４…浮力材、２５…ベルト、２６，２７，２８，２９，３０…保持部、３１…雌型部材、３２，３３，３４，３５，３６，３７…補強用帯状部材、３８Ａ…雄部材、３８Ｂ…雌部材、４２，４３，４４…ドット釦、Ｆ…ベスト着脱用スライドファスナー、Ｇ…調節具
【図１】
0005508871.tif 000002
【図２】
0005508871.tif 000003
【図３】
0005508871.tif 000004
【図４】
0005508871.tif 000005